(57)【要約】【課題】本考案は、交通手段の磁気式足踏みクラッチ構造を提供す  ること。【解決手段】少なくとも交通手段の足踏み板のプリセット位置に固定される一永久磁性体が備わっており、前記永久磁性体の材質は強磁性体（Ｆｅｒｒｏｍａｇｎｅｔｉｓｍ）であり、また、板体、少なくとも一永久磁性体及びユーザのフィットサポート連結部品を有する吸着連結座が備わっており、前記板体による頂面と底面が形成され、前記永久磁性体は、前記板体の底面のプリセット位置に固定され、そして、前記永久磁性体の材質は強磁性体（Ｆｅｒｒｏｍａｇｎｅｔｉｓｍ）で、それにより、交通手段の足踏み板の永久磁性体に対応し、磁性吸着結合状態が達成されることになり、前記ユーザフィットサポート連結部品は、前記板体の頂面に突出して設けられ、それにより、ユーザの足部又は靴体の外部に連結、固定されることになり、前記ユーザフィットサポート連結部品は位置固定状態と開放状態との切替が便利になるクイックリリース式位置固定部が設けられている。【選択図】図１
0003148739.tif 000002
【実用新案登録請求の範囲】
【請求項１】
少なくとも交通手段の足踏み板１１のプリセット位置に固定される一永久磁性体１０が備わっており、前記永久磁性体１０の材質は強磁性体（Ｆｅｒｒｏｍａｇｎｅｔｉｓｍ）で、前記強磁性体は、ネオジム−鉄−ホウ素（Ｎｂ−Ｆｅ−Ｂ）又はサマリウムのコバルト−鉄（ＳｍＣｏ−Ｆｅ）又はアルニコ−鉄（ＡｌＮｉＣｏ−Ｆｅ）の化学成分の組合せの何れかに該当するものであり、また、板体２１、少なくとも一永久磁性体２２及びユーザのフィットサポート連結部品２３を有する吸着連結座２０が備わっており、前記板体２１による頂面２１１と底面２１２が形成され、前記永久磁性体２２の材質は強磁性体（Ｆｅｒｒｏｍａｇｎｅｔｉｓｍ）で、前記強磁性体は、ネオジム−鉄−ホウ素（Ｎｂ−Ｆｅ−Ｂ）又はサマリウムのコバルト−鉄（ＳｍＣｏ−Ｆｅ）又はアルニコ−鉄（ＡｌＮｉＣｏ−Ｆｅ）の化学成分の組合せの何れかに該当するものであり、前記永久磁性体２２は、前記板体２１の底面２１２のプリセット位置に固定され、それにより、交通手段の足踏み板１１の永久磁性体１０に対応し、磁性吸着結合状態が達成されることになり、前記ユーザフィットサポート連結部品２３は、前記板体２１の頂面２１１に突出して設けられ、それにより、ユーザの足部又は靴体の外部に連結、固定されることになり、前記ユーザフィットサポート連結部品２３は位置固定状態と開放状態との切替が便利になるクイックリリース式位置固定部２４が設けられていることを特徴とする交通手段の磁気式足踏みクラッチ構造。
【請求項２】
前記交通手段の足踏み板１１に設けられた永久磁性体１０の外部には、更に耐磨耗材料１２が設けられることを特徴とする請求項１に記載の交通手段の磁気式足踏みクラッチ構造。
【請求項３】
前記交通手段の足踏み板１１と吸着連結座２０の永久磁性体１０、２２は複数のセットに設けられた場合、それぞれのセットの永久磁性体１０、２２の磁極は、異なった状態に設けられてもよいことを特徴とする請求項１に記載の交通手段の磁気式足踏みクラッチ構造。
【請求項４】
前記ユーザフィットサポート連結部品２３のクイックリリース式位置固定部２４は、オスメスセットマジックテープ（登録商標）２４１、２４２、オスメスセットバックル、磁石、ゴムバンドの何れかでよいことを特徴とする請求項１に記載の交通手段の磁気式足踏みクラッチ構造。
【請求項５】
前記吸着連結座２０の永久磁性体２２及び前記交通手段の足踏み板１１の永久磁性体１０は、相対して嵌め合うための凹部、凸部が設けられることを特徴とする請求項１に記載の交通手段の磁気式足踏みクラッチ構造。
【考案の詳細な説明】
【技術分野】
【０００１】
本考案は交通手段に関わり、特に交通手段の一種で、磁気式足踏みクラッチ構造を持つオリジナル設計である。
【背景技術】
【０００２】
本考案でいう交通手段は、主に自転車や車椅子等交通手段の踏み板結構を更に改善、突破したオリジナルものである。
【０００３】
まず、自転車の踏み板結構を見るが、一般タイプは、安心して利用できるものだが、その踏み板やクランクは、下向きに足踏みをする力のみに動かされるため、走行速度を向上することができないのであり、従来のもう一つのシャークマウス式又はクリップ式自転車の踏み板構造では、ユーザが足を上げたとき、前記踏み板に設けられた嵌めあい構造により、踏み板が動かされ、速度向上という長所があるが、しかし、そのような踏み板結構は使用の時、ユーザがそのクラッチの動きに慣れるまで、繰り返しの練習が可能だが、自転車が滑ったなどの緊急状況があった場合、すぐ反応できず、足部が踏み板間からすぐ取れないため、ひどい怪我を起こしたという可能性がある。
【０００４】
また、車椅子の踏み板結構では、一般タイプの場合、ユーザが足部を置くとき、固定した位置がなく、それにより、車椅子の利用者の足が置いた場所から離れ、地面に接触してしまう恐れがある。従来のもう一つの縄付き車椅子では、その踏み板はユーザの足を安定させる効果があるが、車椅子に乗ったとき、またはそこから降りるとき、縄を締めたり緩めたりしなければならないので、時間がかかるという欠点があった。
【０００５】
上述した従来の交通手段の踏み板結構の使用上に存在する問題点について、より理想で実用性のあるオリジナル構造を開発するのが、ユーザの望むことで、関連業者が努力して、研究開発、突破すべき目標と方法でもある。
【０００６】
それを鑑みて、本考案者は、関連製品の製造と設計に携わる経験を長年持っており、上述の目標について詳しく設計、慎重に評価したうえ、ようやく実用性のある本考案が得られたのである。
【考案の開示】
【考案が解決しようとする課題】
【０００７】
本考案は、交通手段の一種である磁気式足踏みクラッチ構造を提供することを目的とし、解決しようとする課題は、従来の走行速度の向上できない、足部が踏み板間からすぐ取れない、という問題点を改善、突破することである。
【課題を解決するための手段】
【０００８】
本考案の解決しようとする技術特徴として、少なくとも交通手段の足踏み板のプリセット位置に固定される一永久磁性体が備わっており、前記永久磁性体の材質は強磁性体（Ｆｅｒｒｏｍａｇｎｅｔｉｓｍ）で、前記強磁性体は、ネオジム−鉄−ホウ素（Ｎｂ−Ｆｅ−Ｂ）又はサマリウムのコバルト−鉄（ＳｍＣｏ−Ｆｅ）又はアルニコ−鉄（ＡｌＮｉＣｏ−Ｆｅ）の化学成分の組合せの何れかに該当するものであり、また、板体、少なくとも一永久磁性体及びユーザのフィットサポート連結部品を有する吸着連結座が備わっており、前記板体による頂面と底面が形成され、前記永久磁性体の材質は強磁性体（Ｆｅｒｒｏｍａｇｎｅｔｉｓｍ）で、前記強磁性体は、ネオジム−鉄−ホウ素（Ｎｂ−Ｆｅ−Ｂ）又はサマリウムのコバルト−鉄（ＳｍＣｏ−Ｆｅ）又はアルニコ−鉄（ＡｌＮｉＣｏ−Ｆｅ）の化学成分の組合せの何れかに該当するものであり、前記永久磁性体は、前記板体の底面のプリセット位置に固定され、それにより、交通手段の足踏み板の永久磁性体に対応し、磁性吸着結合状態が達成されることになり、前記ユーザフィットサポート連結部品は、前記板体の頂面に突出して設けられ、それにより、ユーザの足部又は靴体の外部に連結、固定されることになり、前記ユーザフィットサポート連結部は位置固定状態と開放状態との切替が便利になるクイックリリース式位置固定部が設けられていることを特徴とする前記交通手段の磁気式足踏みクラッチ構造であり、このようなオリジナル設計により、従来の技術に比較すれば、本効果は以下の効果がある。
その一、走行速度が向上するという実用性、進歩性があること。  
その二、交通手段の足踏み板と吸着連結座間からすぐに取れるという安全性
を持つ実用性、進歩性があること。  
【考案を実施するための最良の形態】
【０００９】
図１〜図３は、本考案における交通手段の磁気式足踏みクラッチ構造の好適な実施例であり、これらの実施例は説明のみに用いられるものであり、実用新案登録請求の際、それらの構造に制限されないとする。
【００１０】
少なくとも交通手段の足踏み板１１のプリセット位置に固定される一永久磁性体１０が備わっており、前記永久磁性体１０の材質は強磁性体（Ｆｅｒｒｏｍａｇｎｅｔｉｓｍ）で、前記強磁性体は、ネオジム−鉄−ホウ素（Ｎｂ−Ｆｅ−Ｂ）又はサマリウムのコバルト−鉄（ＳｍＣｏ−Ｆｅ）又はアルニコ−鉄（ＡｌＮｉＣｏ−Ｆｅ）の化学成分の組合せの何れかに該当するものであり、
板体２１、少なくとも一永久磁性体２２及びユーザのフィットサポート連結部品２３を有する吸着連結座２０が備わっており、前記板体２１による頂面２１１と底面２１２が形成され、前記永久磁性体２２は前記板体２１の底面２１２に設けられ、前記永久磁性体２２の材質は強磁性体（Ｆｅｒｒｏｍａｇｎｅｔｉｓｍ）であり、前記強磁性体は、ネオジム−鉄−ホウ素（Ｎｂ−Ｆｅ−Ｂ）又はサマリウムのコバルト−鉄（ＳｍＣｏ−Ｆｅ）又はアルニコ−鉄（ＡｌＮｉＣｏ−Ｆｅ）の化学成分の組合せの何れかに該当するものであり、前記永久磁性体２２は、前記板体２１の底面２１２のプリセット位置に固定され、それにより、交通手段の足踏み板１１の永久磁性体１０に対応し、磁性吸着結合状態が達成されることになり、前記ユーザフィットサポート連結部品２３は、前記板体２１の頂面２１１に突出して設けられ、それにより、ユーザの足部又は靴体の外部に連結、固定されることになり、前記ユーザフィットサポート連結部品２３は位置固定状態と開放状態との切替が便利になるクイックリリース式位置固定部２４が設けられていることを特徴とする前記交通手段の磁気式足踏みクラッチ構造である。
【００１１】
前記交通手段の足踏み板１１と吸着連結座２０の永久磁性体２２は、その位置が対称して合わせるものでなければ、吸着機能が働かないのであり、また、前記吸着作用によるプリセット力で、ユーザが前記吸着連結座２０と交通手段の足踏み板１１との相対運動を制御することになり、その上、前記永久磁性体２２の磁束量の変化により、上述の力の大きさを制御できるが、それがプリセット力を超えると、前記吸着連結座２０と交通手段の足踏み板１１がお互いに離れることになる。
【００１２】
前記ユーザフィットサポート連結部品２３のクイックリリース式位置固定部２４は、オスマジックテープ（登録商標）２４１とメスマジックテープ（登録商標）２４２からなるものであり、その他に、オスメスセットバックル、磁石、ゴムバンドの何れかでよい（図３参照）。
【００１３】
前記交通手段の足踏み板１１に設けられた永久磁性体１０の外部には、更に耐磨耗材料１２が設けられている。
【００１４】
前記吸着連結座２０の永久磁性体２２及び前記交通手段の足踏み板１１の永久磁性体１０は、相対して嵌め合うための凹部、凸部が設けられることにより、前記吸着連結座２０と交通手段の足踏み板１１との突き合い状態がより安定する（当該実施例の図面は省略）。
【００１５】
図２に示すように、前記交通手段の足踏み板１１と吸着連結座２０の永久磁性体１０、２２は複数のセットに設けられた場合、それぞれのセットの永久磁性体１０、２２の磁極は、異なった状態に設けられてもよいのである。例えば、前記交通手段の足踏み板１１の永久磁性体１０の磁性は上向きのＮ極で、もう一つの永久磁性体１０Ｂは上向きのＳ極で、しかも、前記吸着連結座２０の永久磁性体２２、２２Ｂの磁性  に合わせて、磁性吸着結合状態が達成される。
【００１６】
図４に示すように、前記交通手段の足踏み板１１は車椅子の踏み板に応用される場合であり、前記永久磁性体１０は車椅子の踏み板に設けられ、また、怪我した足部や靴体の外部を吸着連結座２０に安定させてから、前記吸着連結座２０と車椅子の踏み板の永久磁性体１０とが磁性吸着結合状態となり、磁性吸着結合状態ということで、脱離も容易になり、けが人が車椅子に乗ったり降りたりすることが簡単になり、緊急状況があった場合でも、けが人の足が踏み板間からすぐ取れる。  
上述の構造、組合せ設計により、本考案の使用状態について以下のように説明する。
【００１７】
図１、図３に示すように、まず、ユーザの足部や靴体の外部を、前記ユーザフィットサポート連結部品２３のクイックリリース式位置固定部２４で、前記吸着連結座２０の板体２１の頂面２１１に締め、前記交通手段の足踏み板１１に近づくように固定させ、前記吸着連結座２０の永久磁性体２２が、前記板体２１の底面２１２に設けられているため、前記交通手段の足踏み板１１が自動的に使用側向きになり、そこで、同種磁石の排斥作用を利用して、前記吸着連結座２０の永久磁性体２２が前記交通手段の足踏み板１１の永久磁性体１０に自動的に吸着し、磁性吸着結合状態が達成される。  
図５は、ユーザが乗った状態のイメージであり、前記ユーザが下向きに足踏みをすると、交通手段の足踏み板１１、クランクが動かされることになり、ユーザが足部を上げたとき、前記交通手段の磁気式足踏みクラッチ構造により、前記交通手段の足踏み板１１、クランク（図示Ｗ）が動かされ、走行速度が向上、体力が節約できる。
【００１８】
説明を付け加えておきたいのは、前記吸着連結座２０と交通手段の足踏み板１１は、セットで販売される場合のほかに、単独販売の前記吸着連結座２０の場合でもよい。
本考案の長所：
その一、本考案に掲示した  “交通手段の磁気式足踏みクラッチ構造”は、前記永久磁性体が前記吸着連結座板体の底面に設けられ、また、前記交通手段の足踏み板の永久磁性体とが磁性吸着結合状態となるオリジナル構造の組合せ設計により、ユーザが乗ったとき、下向きに足踏みをしたとき又は足部を上げたときにも、踏み板が動かされ、効率向上となり、更に、進行速度が向上すること。
【００１９】
その二、車椅子の踏み板結構の場合、けが人の足部や靴体の外部を吸着連結座に置いた後、車椅子の踏み板の永久磁性体とが磁性吸着結合状態となり、けが人の足部が地面に接触せずすむし、磁性吸着結合状態ということで、脱離も容易になり、けが人が車椅子に乗ったり降りたりすることが簡単になり、緊急状況があった場合でも、けが人の足が踏み板間からすぐ取れるから、ひどい怪我などを引き起こさず、安全性を持つ実用性、進歩性があること。
【００２０】
上述の実施例に掲示した内容は、本考案を具体的に説明するものであり、文中で特定な専門用語を用いて、説明してきたが、それを持って本考案の実用新案登録請求範囲を制限してはならず、この技術分野が分かる者は、本考案のコンセプトや考えを理解したうえ、その改造や変更などをしてそれと同等な効果を得たとしても、それらの改造や変更などは、すべて後述の実用新案登録請求の範囲に含まれるものとする。
【図面の簡単な説明】
【００２１】
【図１】本考案の好適な実施例の分解立体図。
【図２】本考案の好適な実施例の組合断面図。
【図３】本考案の吸着連結座がユーザの靴体の外部に連結するイメージ。
【図４】本考案のもう一つの実施例図。
【図５】本考案の作動イメージ。
【符号の説明】
【００２２】
１０、１０Ｂ  永久磁性体
１１    交通手段の足踏み板
１２    耐磨耗材料
２０    吸着連結座
２１    板体
２１１    頂面
２１２    底面
２２、２２Ｂ  永久磁性体    
２３    ユーザフィットサポート連結部品
２４    クイックリリース式位置固定部
２４１    オスマジックテープ（登録商標）
２４２    メスマジックテープ（登録商標）
【図１】
0003148739.tif 000003
【図２】
0003148739.tif 000004
【図３】
0003148739.tif 000005
【図４】
0003148739.tif 000006
【図５】
0003148739.tif 000007